(57)【要約】【課題】収納物の大小、高低差に合わせ棚板パネルの高さ調整が可能であると共に、簡単に組み立て分解が可能な簡素な構成の収納架台を提供する。【解決手段】軸方向に直交する複数の貫通孔２，２…が夫々同高さに開穿された４本の支柱３，３…と、４本の支柱３，３…に夫々摺動自在に遊嵌する所定長さの４本の縦パイプ４，４…が、パネル上面５ａと直交して夫々四隅部に固着された棚板パネル５と、支柱３の貫通孔２に着脱自在に挿通されて、縦パイプ４を保持又は固定することにより、支柱３，３…に棚板パネル５を保持又は固定する保持・固定部材６とを備えた収納架台１を提供する。【選択図】図１
2008061675.tif 000002
【特許請求の範囲】
【請求項１】
軸方向に直交する複数の貫通孔が夫々同高さに開穿された４本の支柱と、
前記４本の支柱に夫々摺動自在に遊嵌する所定長さの４本の縦パイプが、パネル上面と直交して夫々四隅部に固着された棚板パネルと、
前記支柱の貫通孔に着脱自在に挿通されて、前記縦パイプを保持又は固定することにより、前記支柱に前記棚板パネルを保持又は固定する保持・固定部材とを備えたことを特徴とする収納架台。
【請求項２】
前記縦パイプの上端は、前記パネル上面に露出し、前記縦パイプの下端部は、前記棚板パネルの下端から所定長さ下方に突設し、前記縦パイプの下端には、前記貫通孔に挿通された前記保持・固定部材に係合する下方に開放する逆Ｕ字状の切欠き部が形成されることを特徴とする請求項１記載の収納架台。
【請求項３】
前記縦パイプは、軸方向に直交する貫通孔が開穿されていることを特徴とする請求項１又は２記載の収納架台。
【請求項４】
前記棚板パネルは、矩形枠と、前記矩形枠の上面に張設されたパネル板と、前記矩形枠内に掛架される複数本の補強枠とを備えることを特徴とする請求項１乃至３のうちいずれか一に記載の収納架台。
【請求項５】
前記矩形枠は、Ｃ型鋼で形成されていることを特徴とする請求項１乃至４のうちいずれか一に記載の収納架台。
【請求項６】
前記支柱は、下端に高さ調節金具が設けられ、上端に前記縦パイプの嵌装を誘導する誘導金具が配設されていることを特徴とする請求項１乃至５のうちいずれか一に記載の収納架台。
【請求項７】
前記保持・固定部材は、ピン、又は、ナット付き通しボルトであることを特徴とする請求項１乃至６のうちいずれか一に記載の収納架台。
【発明の詳細な説明】
【技術分野】
【０００１】
本発明は、棚板パネルの高さ調整が可能であると共に、棚板パネルを単独でパレットとして使用することができる簡素な構成の収納架台に関する。
【背景技術】
【０００２】
従来のこの種の収納架台は、例えば、倉庫などに於いて、上部空間を有効利用するため、倉庫内の種々の機械、道具、工具などを収納するものであり、重量物も収納できるように、架台全体が溶接などで固定された固定式で棚が一段式に構成されたものが多い。又、固定式以外にボルト止め式のものがあるが、強度上の理由から、多数のボルトを用いるなど、複雑な組立構成になっている。
【０００３】
尚、本発明に関連する公知技術文献としては例えば下記の特許文献１がある。特許文献１は、下部フレーム、１乃至複数の積載フレーム及び上部フレームを積み重ねて収納架台を構成するものであり、各フレームの四隅部の柱材に設けた凹凸部材を相互に嵌合させて連結を行なうよう構成されている。
【特許文献１】特開平８−１６９５９８号公報
【発明の開示】
【発明が解決しようとする課題】
【０００４】
前述した、従来の収納架台は、固定式であるため、収納物に合わせて収納架台の大きさ、高さを調節することは不可能であり、汎用性がなく、又、大きさ、高さ、運搬、製作等には一定の限度がある等の問題点がある。
一方、ボルト止め式のものは、多数のボルトを用いるなど、複雑な組立構成になっているため、制作に手間がかかり、又、高さの調節等においてもボルトやナットの着脱に手間がかかるという問題がある。
又、特許文献１の収納架台は、各フレームの柱材によって、各フレームの高さが予め固定されるため、高さの調節が不可能であると共に、凹凸部材を相互に嵌合させるものであるため、嵌合が外れた場合、収納架台の倒壊の虞がある。
【０００５】
以上の現状に鑑み、本発明は、収納物の大小、高低差に合わせ棚板パネルの高さ調整が可能であると共に、簡単に組み立て分解が可能であり、且つ、棚板パネルを単独でパレットとして使用することができる簡素な構成の収納架台を提供することを目的とする。
【課題を解決するための手段】
【０００６】
上記の課題を解決すべく、本発明は以下の構成を提供する。
請求項１に係る発明は、軸方向に直交する複数の貫通孔が夫々同高さに開穿された４本の支柱と、
前記４本の支柱に夫々摺動自在に遊嵌する所定長さの４本の縦パイプが、パネル上面と直交して夫々四隅部に固着された棚板パネルと、
前記支柱の貫通孔に着脱自在に挿通されて、前記縦パイプを保持又は固定することにより、前記支柱に前記棚板パネルを保持又は固定する保持・固定部材とを備えたことを特徴とする収納架台を提供するものである。
【０００７】
請求項２に係る発明は、前記縦パイプの上端は、前記パネル上面に露出し、前記縦パイプの下端部は、前記棚板パネルの下端から所定長さ下方に突設し、前記縦パイプの下端には、前記貫通孔に挿通された前記保持・固定部材に係合する下方に開放する逆Ｕ字状の切欠き部が形成されることを特徴とする請求項１記載の収納架台を提供するものである。
【０００８】
請求項３に係る発明は、前記縦パイプは、軸方向に直交する貫通孔が開穿されていることを特徴とする請求項１又は２記載の収納架台を提供するものである。
【０００９】
請求項４に係る発明は、前記棚板パネルは、矩形枠と、前記矩形枠の上面に張設されたパネル板と、前記矩形枠内に掛架される複数本の補強枠とを備えることを特徴とする請求項１乃至３のうちいずれか一に記載の収納架台を提供するものである。
【００１０】
請求項５に係る発明は、前記矩形枠は、Ｃ型鋼で形成されていることを特徴とする請求項１乃至４のうちいずれか一に記載の収納架台を提供するものである。
【００１１】
請求項６に係る発明は、前記支柱は、下端に高さ調節金具が設けられ、上端に前記縦パイプの嵌装を誘導する誘導金具が配設されていることを特徴とする請求項１乃至５のうちいずれか一に記載の収納架台を提供するものである。
【００１２】
請求項７に係る発明は、前記保持・固定部材は、ピン、又は、ナット付き通しボルトであることを特徴とする請求項１乃至６のうちいずれか一に記載の収納架台を提供するものである。
【発明の効果】
【００１３】
本発明の請求項１記載の発明によれば、軸方向に直交する複数の貫通孔が夫々同高さに開穿された４本の支柱と、前記４本の支柱に夫々摺動自在に遊嵌する所定長さの４本の縦パイプが、パネル上面と直交して夫々四隅部に固着された棚板パネルと、前記支柱の貫通孔に着脱自在に挿通されて、前記縦パイプを保持又は固定することにより、前記支柱に前記棚板パネルを保持又は固定する保持・固定部材とを備えた収納架台を提供するので、収納物の大小、高低差に合わせ棚板パネルの高さ調整が可能である簡素な構成の収納架台を提供することができる。
又、本発明の収納架台は倉庫等の上部空間を有効活用することができると共に、農業機械など重量物を載せることができ、且つ、複数本の支柱部と複数枚の棚板パネルを用いたパネル組立式なので、簡単に組み立て分解が可能であり、運搬に便利で使用後もスペースを取らないという利点がある。
【００１４】
請求項２記載の発明によれば、前記縦パイプの上端は、前記パネル上面に露出し、前記縦パイプの下端部は、前記棚板パネルの下端から所定長さ下方に突設し、前記縦パイプの下端には、前記貫通孔に挿通された前記保持・固定部材に係合する下方に開放する逆Ｕ字状の切欠き部が形成されるので、請求項１記載の発明の効果に加え、下方に開放する逆Ｕ字状の切欠き部が保持・固定部材に係合することによって棚板パネルが支柱に安定して保持されると共に、棚板パネルを単独で、床などに置いた時、縦パイプの下端部が、棚板パネルの下端から所定長さ下方に突設しているので、棚板パネルの下方にスペースが形成され、このスペースにフォークリフトのフォークを差し込むことにより、棚板パネルを単独でパレットとして使用することができる。
【００１５】
請求項３記載の発明によれば、前記縦パイプは、軸方向に直交する貫通孔が開穿されているので、請求項１又は２記載の発明の効果に加え、縦パイプの貫通孔と支柱の貫通孔とに保持・固定部材を挿通することにより、縦パイプを支柱に固定して、棚板パネルを支柱に固定できる。
【００１６】
請求項４記載の発明によれば、前記棚板パネルは、矩形枠と、前記矩形枠の上面に張設されたパネル板と、前記矩形枠内に掛架される複数本の補強枠とを備えるので、請求項１乃至３のうちいずれか一に記載の発明の効果に加え、棚板パネルを、必要な強度で、且つ、軽量に制作することができる。
【００１７】
請求項５記載の発明によれば、前記矩形枠は、Ｃ型鋼で形成されているので、請求項１乃至４のうちいずれか一に記載の発明の効果に加え、矩形枠を、必要な強度で、且つ、軽量に制作することができる。
【００１８】
請求項６記載の発明によれば、前記支柱は、下端に高さ調節金具が設けられ、上端に前記縦パイプの嵌装を誘導する誘導金具が配設されているので、請求項１乃至５のうちいずれか一に記載の発明の効果に加え、縦パイプの嵌装が円滑に行なえると共に、支柱の高さ調節が容易である。
【００１９】
請求項７記載の発明によれば、前記保持・固定部材は、ピン、又は、ナット付き通しボルトであるので、請求項１乃至６のうちいずれか一に記載の発明の効果に加え、ピン、又は、ナット付き通しボルトによって、縦パイプを容易に保持又は固定できると共に、特に、ナット付き通しボルトの場合はナットによるネジ止めによって、確実に固定できる。
【発明を実施するための最良の形態】
【００２０】
以下、実施例を示した図面を参照しつつ本発明の実施の形態を説明する。
図１に於いて、１は、本発明の収納架台を示し、収納架台１は、軸方向に直交する複数の貫通孔２，２…が所定間隔で、夫々同高さに開穿された４本の支柱３，３…と、４本の支柱３，３…に夫々摺動自在に遊嵌する所定長さの４本の縦パイプ４，４…が、パネル上面５ａと直交して夫々四隅部に固着された棚板パネル５と、支柱３の貫通孔２に着脱自在に挿通されて、縦パイプ４を保持又は固定することにより、支柱３，３…に棚板パネル５を保持又は固定する保持・固定部材６，６…とを備えている。
【００２１】
そして、前記縦パイプ４は、軸方向に直交する貫通孔７が開穿されると共に、縦パイプ４の下端には、貫通孔２に挿通された保持・固定部材６に係合する下方に開放する逆Ｕ字状の２個の切欠き部８，８が形成される。更に、前記縦パイプ４は、縦パイプ４の上端が、パネル上面５ａに露出し、縦パイプ４の下端部が、棚板パネル５の下端から所定長さ下方に突設するように棚板パネル５の四隅部に固着される。尚、前記縦パイプ４は、支柱３に嵌装時に、揺れを止め、撓みを少なくするため、例えば、長さ３５ｃｍ程度に形成される。
【００２２】
又、前記保持・固定部材６は、ピン、又は、ナット付き通しボルトであり、特に、着脱操作、及び、ナットの着脱操作を容易且つ確実とするため、好適には、図示の如きＬ字型ピン、又は、図示しないＬ字型ナット付き通しボルトが用いられる。
【００２３】
更に、前記棚板パネル５は、図２に示す如く、リップ溝型鋼であるＣ型鋼で形成された矩形枠９と、矩形枠９の上面に張設された鋼板製のパネル板１０と、矩形枠９内に掛架される複数本の補強枠１１，１１…とを備え、前記縦パイプ４，４…は、矩形枠９の四隅部にパネル板１０を直交方向に貫通して固着されている。前記棚板パネル５は、例えば、棚板パネル５の１枚に荷重約２ｔ迄載せることができるように設計されている。
【００２４】
更に又、前記支柱３は、図３に示す如く、下端に支柱３の高さ調整を行なうための高さ調節金具１２が設けられ、上端に縦パイプ４の支柱３への嵌装を誘導する略円錐形に構成された嵌めこみ式の誘導金具１３が配設されている。高さ調節金具１２の高さ調節は、例えば、６ｃｍ以内の範囲で調節が行なえるように構成されている。又、高さ調節金具１２の下端には、支柱３を起立状態で維持させるための平板状の足部１２ａが設けられている。
そして、支柱３の例えば、下段Ａ、中段Ｂ及び上段Ｃに所定間隔離間させて棚板パネル５，５…を夫々保持又は固定するため、下段Ａ、中段Ｂ及び上段Ｃ相当位置に夫々１個又は２個の貫通孔２，２が所定間隔離間して開穿されている。尚、支柱３の段数は、下段Ａ、中段Ｂ及び上段Ｃに限定されるものではなく、１乃至複数段に任意に設定できるが、ここでは、下段Ａ、中段Ｂ及び上段Ｃに設定した場合について説明する。
【００２５】
支柱３の下段Ａ及び中段Ｂに保持される棚板パネル５は、後述するフォークリフトで収納架台１全体を持ち上げる時、フォークによって持ち上げられる可能性があるため、支柱３の下段Ａ及び中段Ｂには、図４に示す如く、前記縦パイプ４の貫通孔７と切欠き部８に対応させて、一対の上下貫通孔２ａ，２ｂが夫々開穿されている。そして、下貫通孔２ｂに保持・固定部材６を挿入し、貫通させた保持・固定部材６に縦パイプ４の切欠き部８を載置させ、次に、同心位置にある縦パイプ４の貫通孔７及び支柱３の上貫通孔２ａに保持・固定部材６を挿入して棚板パネル５が支柱３に対し上下方向に動かないように確実に固定する。尚、フォークリフトで収納架台１全体を持ち上げる可能性がない場合等、使用状態によっては、貫通孔７及び上貫通孔２ａに保持・固定部材６を挿入しなくても良い。
【００２６】
一方、フォークリフトで収納架台１全体を持ち上げる時、支柱３の上段Ｃに保持される棚板パネル５をフォークで持ち上げないことを前提に、支柱３の上段Ｃには、前記縦パイプ４の切欠き部８と対応させて、下貫通孔２ｂのみが開穿され、貫通孔７に対応させた上貫通孔２ａは開穿されない。従って、支柱３の上段Ｃに保持される棚板パネル５は、下貫通孔２ｂに貫通させた保持・固定部材６に縦パイプ４の切欠き部８を載置して保持されるが、支柱３に固定されないことになる。
【００２７】
而して、図１に従って、前記収納架台１の組立て方法について説明する。
下端に高さ調節金具１２が設けられ、上端に誘導金具１３が配設された４本の支柱３，３…と、１枚目の棚板パネル５を用意し、高さ調節金具１２，１２…を下にして支柱３，３…を起立させた状態で、棚板パネル５の四隅部に設けた縦パイプ４，４…を誘導金具１３，１３…の誘導により支柱３，３…に嵌装し、図４に示す如く、支柱３の下段Ａの下貫通孔２ｂに挿通した保持・固定部材６に縦パイプ４の切欠き部８を載置させて、保持・固定部材６に棚板パネル５を保持させる。
【００２８】
この時、所定長さの縦パイプ４，４…内に支柱３，３…が嵌挿しているので、支柱３，３…は起立状態を維持することができる。
次に、同心位置にある縦パイプ４の貫通孔７と支柱３の下段Ａの上貫通孔２ａとに保持・固定部材６を貫通させ、保持・固定部材６がナット付き通しボルトである場合は更にナット締めして固定する。このようにして支柱３に下段Ａの棚板パネル５が固定される。
【００２９】
同様にして、２枚目の棚板パネル５の四隅に設けた縦パイプ４，４…を誘導金具１３，１３…の誘導により支柱３，３…に嵌装し、支柱３，３…の中段Ｂの下貫通孔２ｂに挿通した保持・固定部材６に縦パイプ４の切欠き部８を載置させて、保持・固定部材６に２枚目の棚板パネル５を保持させる。
次に、同心位置にある縦パイプ４の貫通孔７と支柱３の中段Ｂの上貫通孔２ａとに保持・固定部材６を貫通させ、保持・固定部材６がナット付き通しボルトである場合は更にナット締めして固定する。このようにして支柱３に中段Ｂの棚板パネル５が固定される。
【００３０】
図示は省略するが、同様にして、３枚目の棚板パネル５の四隅に設けた縦パイプ４，４…を誘導金具１３，１３…の誘導により支柱３，３…に嵌装し、支柱３の上段Ｃの下貫通孔２ｂに挿通した保持・固定部材６に縦パイプ４の切欠き部８を載置させて、保持・固定部材６に３枚目の棚板パネル５を保持させる。このようにして支柱３に上段Ｃの棚板パネル５が保持される。尚、支柱３の上段Ｃには、上貫通孔２ａが開穿されていないため、棚板パネル５は支柱３に固定されない。
【００３１】
次に、前記収納架台１の棚板パネル５を取外す場合、及び、収納架台１を分解する場合について説明する。
上段Ｃの棚板パネル５は、保持・固定部材６によって固定されていないので、そのまま棚板パネル５を上方に摺動させれば、取り外しが可能である。
【００３２】
次に、中段Ｂの棚板パネル５を取外す場合は、支柱３の上段Ｃの保持・固定部材６を取外した後、棚板パネル５の縦パイプ４の貫通孔７と、支柱３の中段Ｂの上貫通孔２ａとに貫通させた保持・固定部材６を取外し、中段Ｂの棚板パネル５を上方に摺動させれば、取り外しが可能である。
【００３３】
下段Ａの棚板パネル５を取外す場合も同様に行なうが、下段Ａの棚板パネル５を取外す場合は、４本の支柱３，３…の起立状態が不安定になり、或いは、転倒の虞があるため、外力で４本の支柱３，３…を支える必要が生じる場合もある。
又、下段Ａの棚板パネル５を取外す場合は、収納架台１を倒し、下段Ａの棚板パネル５から、４本の支柱３，３…を抜いても良い。
【００３４】
又、前記棚板パネル５は単独で、パレットとして用いることも可能である。例えば、棚板パネル５を単独で、床などに置いた時、縦パイプ４の下端部が、棚板パネル５の下端から所定長さ下方に突設しているので、棚板パネル５の下方にスペースが形成され、このスペースにフォークリフトのフォークを差し込むことにより、棚板パネル５を持ち上げ移動させることができ、棚板パネル５を単独でパレットとして使用することができる。更に、組み立てられた収納架台１の上段Ｃ及び中段Ｂの棚板パネル５は、収納物を収納或いは収納しない状態で、フォークリフト等を用いて前述した取り外し方法によって夫々慎重に取り外して、パレットとしてそのまま運搬することが可能である。
【００３５】
尚、前述の説明に於いて、前記収納架台１に棚板パネル５を三段に設けたが、棚板パネル５を下段Ａと、中段Ｂの二段に設けても良く、その場合、下段Ａの棚板パネル５に収納する収納物が高い時は、収納物の高さに合わせて中段Ｂの棚板パネル５を上段Ｃ位置に移動させてもよい。
即ち、前記収納架台１は、上段Ｃ、中段Ｂ、下段Ａ位置に１乃至複数の棚板パネル５を任意に保持又は固定することが可能であり、棚板パネル５を他の段に移動させて棚の高さを調節することも可能である。
【００３６】
図５は、下段Ａ及び中段Ｂの棚板パネル５，５が支柱３，３…に保持され、固定されていない収納架台１を示している。即ち、支柱３，３…の下貫通孔２ｂに挿通した保持・固定部材６に縦パイプ４の切欠き部８を載置させて、保持・固定部材６に棚板パネル５を保持させ、縦パイプ４の貫通孔７と支柱３の上貫通孔２ａには保持・固定部材６を貫通させず、棚板パネル５を固定しない状態としたものである。
この状態に於いても、収納架台１は安定した状態で、起立しており、下段Ａ及び中段Ｂの各棚板パネル５，５…上に、種々の機械、道具、工具等を収納することができる。そして、前述したように、例えば、中段Ｂの棚板パネル５を上段Ｃに移動させて下段Ａの棚の高さを調節することも可能である。
【００３７】
図６は、下段Ａの棚板パネル５が支柱３に固定され、中段Ｂの棚板パネル５が支柱３に保持されている収納架台１を示している。そして、固定された下段Ａの棚板パネル５を例えばフォークリフトＦで持ち上げて収納架台１全体を移動させる場合を示している。
【００３８】
収納架台１を移動させる場合は、少なくともフォークリフトＦのフォークを差し込んで持ち上げる棚板パネル５の全ての同心位置にある縦パイプ４，４…の貫通孔７，７…と上貫通孔２ａ，２ａ…に保持・固定部材６，６…を貫通させ、好適には、安全のために、保持・固定部材６としてナット付き通しボルトを貫通させ、ナット締めして固定する。
このように、棚板パネル５を支柱３に固定すれば、フォークリフトＦによって収納架台１全体を持ち上げて移動させることができる。
【図面の簡単な説明】
【００３９】
【図１】本発明による収納架台の分解斜視図である。
【図２】（ａ）本発明による棚板パネルの平面図である。（ｂ）本発明による棚板パネルの側面図である。（ｃ）本発明による棚板パネルの正面図である。
【図３】本発明による支柱の正面図である。
【図４】本発明による収納架台の組立状態を示す一部正面縦断面図を示し、図６のＤ−Ｄ線断面図である。
【図５】本発明による収納架台の正面図である。
【図６】本発明による収納架台をフォークリフトで運ぶ状態を示す正面図である。
【符号の説明】
【００４０】
１  収納架台
２  貫通孔
３  支柱
４  縦パイプ
５  棚板パネル
５ａ  パネル上面
６  保持・固定部材
７  貫通孔
８  切欠き部
９  矩形枠
１０  パネル板
１１  補強枠
１２  高さ調節金具
１３  誘導金具
【図１】
2008061675.tif 000003
【図２】
2008061675.tif 000004
【図３】
2008061675.tif 000005
【図４】
2008061675.tif 000006
【図５】
2008061675.tif 000007
【図６】
2008061675.tif 000008